(57)【要約】【課題】各種の押し型の交換を、簡易な作業で、短時間に行う。抜き型に押し型を取付ける際に、被係止部に設けられた位置決め軸にそれぞれの押し型に設けられた孔を挿嵌することにより高い精度で位置決めして取付けることができ、取付け作業を短時間で、且つ効率的に行う。シート材の型抜き作業時においては、取付け盤から型取付け台や、該型取付け台に対して押し型を位置決めするための位置決め軸が脱落するのを防止して型抜く作業を安全に行う。【解決手段】他方の押し型が仮止めされた一方の押し型が固着された型取付け台を、取付け盤に設けられた開口部に対して着脱可能に挿嵌すると共に係止部材を型取付け台に係止して抜け出しを規制する。【選択図】        図２
2008044027.tif 000002
【特許請求の範囲】
【請求項１】
取付け盤にシート材を所望の形状に切抜きする型抜き刃及び切抜かれるシート材の製品に所望の記号を型押しする少なくとも一方の押し型が取付けられたシート材の抜き型において、
取付け盤に設けられた開口部に対して着脱可能に挿嵌される型取付け台と、
型取付け台に固着される一方の押し型及び該一方の押し型に仮止可能な他方の押し型と、
取付け盤に設けられ、該取付け盤に挿嵌された型取付け台の一部に係止して抜け出しを規制する係止部材と、
を備えたシート材の抜き型。
【請求項２】
取付け盤にシート材を所望の形状に切抜きする型抜き刃が取付けられたシート材の抜き型において、
該取付け盤の開口部に着脱可能に挿嵌され、端部に被係止部を有した押し型の取付け平面部が形成された型取付け台と、
型取付け台の被係止部に出没可能に挿入される少なくとも２本の位置決め軸と、
型取付け台に対し、挿入される位置決め軸により位置決めされた状態で固着される一方の押し型と、
一方の押し型と反対の面に粘着材が設けられ、該一方の押し型に対し、挿入される位置決め軸により位置決めされた状態で仮止可能な他方の押し型と、
被係止部に係止して取付け盤から型取付け台が抜け出すのを規制すると共に被係止部内に没入した位置決め軸の突出を規制する係止部材と、
を備えたシート材の抜き型。
【請求項３】
請求項２の一方の押し型は、端部に、位置決め軸が挿入される孔を有した位置決め部を一体に設けたシート材の抜き型。
【請求項４】
請求項３において、位置決め部は、一方の押し型端部において切離可能としたシート材の抜き型。
【請求項５】
請求項４において、位置決め部は、肉薄部及びミシン目の少なくともいずれかにより切離可能としたシート材の抜き型。
【請求項６】
請求項２において、一方の押し型の端部に設けられた位置決め部は、取付け平面部の側面に粘着可能としたシート材の抜き型。
【請求項７】
請求項２の係止部材は、係止位置と非係止位置の間で移動可能に支持されたシート材の抜き型。
【請求項８】
取付け盤にシート材を所望の形状に切抜きする型抜き刃及び切抜かれるシート材の製品に所望の記号を型押しする押し型が取付けられたシート材の抜き型において、
取付け盤の開口部に対し、固定側定盤に相対する面に一方の押し型が固着された型取付け台を着脱可能に挿嵌して押し型の交換を可能にすると共に取付け盤に移動可能に支持された係止部材を型取付け台に係止して抜け出しを規制する抜き型における押し型固定方法。
【請求項９】
取付け盤にシート材を所望の形状に切抜きする型抜き刃及び切抜かれるシート材の製品に所望の記号を型押しする押し型が取付けられたシート材の抜き型において、
取付け盤の開口部に着脱可能に取付けられる型取付け台の被係止部に設けられた位置決め軸に一方の押し型を挿嵌した位置決め状態で型取付け台に固着し、該一方の押し型に対して位置決め軸に他方の押し型を挿嵌して位置決め状態で仮止めして取付けると共に取付け盤の開口部に挿嵌された型取付け台の被係止部及び該被係止部に没入した位置決め軸に対して取付け盤に支持された係止部材を係止して取付け盤から型取付け台の抜け出しを規制する抜き型における押し型固定方法。
【請求項１０】
請求項９において、型取付け台に一方の押し型を固定する際に、両端部の孔に位置決め軸を挿入して位置決めして固定すると共に固定された一方の押し型に対して他方の押し型を仮止めする際に、両端部の孔に位置決め軸を挿入して位置決めする抜き型における押し型固定方法。
【発明の詳細な説明】
【技術分野】
【０００１】
本発明は、段ボール紙やクラフト紙等の板紙、合成樹脂シート、布や皮革、薄手状金属シート等の各種シート板を所望の展開形状に打ち抜くと同時に所望の記号を型押しするシート材の抜き型及び押し型固定方法に関する。
【背景技術】
【０００２】
本出願人は、特許文献１に示すように、シート材を所望の展開形状に打ち抜くと同時に打ち抜かれるシート材に、例えば社章や点字、識別記号等の各種記号を型押しする押し型を備えた抜き型を提案した。
【０００３】
即ち、特許文献１の抜き型は、シート材を所望の形状に型抜きする切り刃を設けた取付け盤に、シート材に所望のマークを型押しする一対の押し型の一方を固定し、かつ他方を一方の押し型に対して切り離し可能に仮止めすると共に型受け台に対して固定可能にしたことを特徴としている。
【０００４】
しかし、特許文献１に示す抜き型にあっては、型押しされる押し型を交換する際には、取付け盤から一方の押し型を取外した後に、新たな一方の押し型を固着しなければならず、その交換作業に時間と手間がかかる問題を有している。
【０００５】
また、シート材型抜き装置の固定側定盤に対して他方の押し型を固着させるには、シート材の型抜き作業に先立って、切り刃や罫線刃が取付けられる取付け盤に対し、押し型の一方を構成する雌押し型を高い位置精度で固着した後に、該雌押し型に対し、下面に両面テープ等の粘着材が設けられた雄押し型を、突部（コア）と凹部（キャビィティ）を高い精度で一致させて仮止めする必要があるが、この仮止め作業に手間と時間がかかり、作業性が悪い問題を有している。
【特許文献１】特開２００３−１５９５公報
【発明の開示】
【発明が解決しようとする課題】
【０００６】
解決しようとする問題点は、各種の押し型を交換する際に、手間と時間がかかり、作業性が悪い点にある。抜き型に雌押し型と雄押し型からなる一対の押し型を取付ける際に、押し型相互を高い位置精度で位置決めして取付けるのに手間と時間がかかって作業性が悪い点にある。
【課題を解決するための手段】
【０００７】
本発明の請求項１は、取付け盤にシート材を所望の形状に切抜きする型抜き刃及び切抜かれるシート材の製品に所望の記号を型押しする少なくとも一方の押し型が取付けられたシート材の抜き型において、取付け盤に設けられた開口部に対して着脱可能に挿嵌される型取付け台と、型取付け台に固着される一方の押し型及び該一方の押し型に仮止可能な他方の押し型と、取付け盤に設けられ、該取付け盤に挿嵌された型取付け台の一部に係止して抜け出しを規制する係止部材とを備えたことを特徴とする。
【０００８】
請求項２は、取付け盤にシート材を所望の形状に切抜きする型抜き刃が取付けられたシート材の抜き型において、該取付け盤の開口部に着脱可能に挿嵌され、端部に被係止部を有した押し型の取付け平面部が形成された型取付け台と、型取付け台の被係止部に出没可能に挿入される少なくとも２本の位置決め軸と、型取付け台に対し、挿入される位置決め軸により位置決めされた状態で固着される一方の押し型と、一方の押し型と反対の面に粘着材が設けられ、該一方の押し型に対し、挿入される位置決め軸により位置決めされた状態で仮止可能な他方の押し型と、被係止部に係止して取付け盤から型取付け台が抜け出すのを規制すると共に被係止部内に没入した位置決め軸の突出を規制する係止部材とを備えたことを特徴とする。
【０００９】
請求項８は、取付け盤にシート材を所望の形状に切抜きする型抜き刃及び切抜かれるシート材の製品に所望の記号を型押しする押し型が取付けられたシート材の抜き型において、取付け盤の開口部に対し、固定側定盤に相対する面に一方の押し型が固着された型取付け台を着脱可能に挿嵌して押し型の交換を可能にすると共に取付け盤に移動可能に支持された係止部材を型取付け台に係止して抜け出しを規制することを特徴とする。
【００１０】
請求項９は、取付け盤にシート材を所望の形状に切抜きする型抜き刃及び切抜かれるシート材の製品に所望の記号を型押しする押し型が取付けられたシート材の抜き型において、取付け盤の開口部に着脱可能に取付けられる型取付け台の被係止部に設けられた位置決め軸に一方の押し型を挿嵌した位置決め状態で型取付け台に固着し、該一方の押し型に対して位置決め軸に他方の押し型を挿嵌して位置決め状態で仮止めして取付けると共に取付け盤の開口部に挿嵌された型取付け台の被係止部及び該被係止部に没入した位置決め軸に対して取付け盤に支持された係止部材を係止して取付け盤から型取付け台の抜け出しを規制することを特徴とする。
【発明の効果】
【００１１】
本発明は、各種の押し型の交換を、簡易な作業で、短時間に行うことができる。抜き型に押し型を取付ける際に、被係止部に設けられた位置決め軸にそれぞれの押し型に設けられた孔を挿嵌することにより高い精度で位置決めして取付けることができ、取付け作業を短時間で、且つ効率的に行うことができる。シート材の型抜き作業時においては、取付け盤から型取付け台や、該型取付け台に対して押し型を位置決めするための位置決め軸が脱落するのを防止して型抜く作業を安全に行うことができる。
【発明を実施するための最良の形態】
【００１２】
本発明は、他方の押し型が仮止めされた一方の押し型が固着された型取付け台を、取付け盤に設けられた開口部に対して着脱可能に挿嵌すると共に係止部材を型取付け台に係止してシート材の型抜き時に型取付け台が脱落するのを規制することを最良の形態とする。
【実施例１】
【００１３】
以下に実施形態を示す図に従って本発明を説明する。
本実施例は、請求項２及び請求項９に対応し、図１〜図３において、本発明に係る抜き型１は、シート材型抜き装置（図示せず）において昇降駆動されるスライダー（図示せず）の下面に取付けられ、スライダーを固定側定盤３に向って下降駆動した際に、固定側定盤３上に供給されたシート材（図示せず）から所望の展開形状からなる製品（図示せず）を型抜きする。
【００１４】
抜き型１の取付け盤７は、例えばベニヤ合板等の木質板材からなり、その下面（図１に示す上面）にはシート材から製品を打ち抜く型抜き刃９が、製品の外形状に一致して取付けられている。また、型抜き刃９内に位置する取付け盤７には、罫線刃１１が製品の折り目箇所に一致して取付けられている。
【００１５】
また、取付け盤７における型抜き刃９内の適宜箇所には開口部７ａが形成され、該開口部７ａ内には押し型１７を取付けるための型取付け台１３が着脱可能に挿嵌されている。該型取付け台１３は、例えば硬質樹脂材、木質材または金属材からなり、その下部は両側が所要の幅で切欠かれた段差状の被係止部１３ａを有し、型抜き刃９の刃高にほぼ一致する高さで、下面に後述する押し型１７が取付けられる取付け平面部１３ｂが形成される。
【００１６】
型取付け台１３の各被係止部１３ａには、上下方向に軸線を有した軸孔１３ｃがそれぞれ形成されている。そして各軸孔１３ｃには位置決め軸としての位置決めピン１５がそれぞれ出没可能に挿嵌されている。各位置決めピン１５は、その軸下端が取付け平面部１３ｂより若干下方へ突出した状態において軸上部が軸孔１３ｃに挿嵌された状態を保たれると共に軸孔１３ｃ内に没入された際に、軸上端が取付け平面部１３ｂから突出しない軸線長さに設定される。
【００１７】
上記した位置決めピン１５は、それぞれの被係止部１３ａの非対称位置に設けられた軸孔１３ｃに挿嵌される少なくとも２本であればよいが、例えば一方の被係止部１３ａに２本、他方の被係止部１３ａに１本の計３本以上が望ましい。
【００１８】
上記型取付け台１３における取付け平面部１３ｂの下面には、押し型１７を構成する一方の雌押し型１９が、例えば両面テープや接着剤等により固着されている。雌押し型１９は、例えばステンレス等の金属板やPET（ポリエチレンテレフタレート）等の樹脂板からなり、その下面には型押しされる社標や点字、識別記号等の各種記号に一致する凹部（キャビィティー）１９ａが形成される。また、雌押し型１９の両端部には位置決め部としての位置決め板１９ｂがそれぞれ水平方向へ延出し、かつ取付け平面部１３ｂの両端で切離可能に一体形成されている。そして各位置決め板１９ｂには上記した位置決めピン１５が挿入される孔１９ｃが形成されている。
【００１９】
尚、雌押し型１９において位置決め板１９ｂは、境界箇所に肉薄部１９ｄやミシン目（図示せず）を形成して切離可能にする構成であればよい。
【００２０】
取付け平面部１３ｂの下面に雌押し型１９を固着する際、位置決めピン１５の軸下部を位置決め板１９ｂの孔１９ｃに挿入した状態で、雌押し型１９を取付け平面部１３ｂに固着することにより取付け平面部１３ｂに対して雌押し型１９を位置決めした状態で固定させる。
【００２１】
また、雌押し型１９の下面には押し型１７の他方を構成する雄押し型２１が仮止めされる。該雄押し型２１は、例えばステンレス等の金属板からなり、その上面には型押しされる各種記号に一致する突部（コア）２１ａが形成される。雌押し型１９の位置決め板１９ｂに相対する雄押し型２１の両端部には雌押し型１９の孔１９ｃを挿通した位置決めピン１５の軸下部が挿通される孔２１ｂがそれぞれ形成される。上記孔１９ｃ・２１ｂは雌押し型１９の各凹部１９ａと、これに相対する突部２１ａが一致するように、それぞれの中心軸線を一致させて形成される。
【００２２】
更に、雄押し型２１の下面には、例えば両面テープ等の粘着材２３がほぼ全体にわたって取付けられている。該粘着材２３の粘着面には、剥離紙２５が取付けられて非粘着状態になっている。
【００２３】
雌押し型１９に対して雄押し型２１を仮止めする際に、孔１９ｃを挿通して突出する位置決めピン１５を孔２１ｂ内に挿嵌した際の摩擦力により抜け出しを規制して仮止めするものとしたが、雌押し型１９と雄押し型２１の間に両面テープ等の粘着材や、ホットメルト（熱可塑性樹脂接着剤）をスポット状に介在させ、粘着材２３の粘着力より弱い粘着力で仮止めする構成であってもよい。
【００２４】
型取付け台１３の各角部に応じた取付け盤７には係止部材２７が、被係止部１３ａに対して係止可能にそれぞれ取付けられている。各係止部材２７は、先端部に係止部２７ａを、また基端部側に長孔２７ｂを有し、長孔２７ｂ内に抜け止めされた状態で摺接するように挿入されたネジ２９を取付け盤７にネジ止めして後述する係止位置と非係止位置との間で移動される。
【００２５】
即ち、各係止部材２７は、係止部２７ａが型取付け台１３の被係止部１３ａに係止して取付け盤７から型取付け台１３が、また軸孔１３ｃ内に没入した位置決めピン１５の下端面に係止して位置決めピン１５が抜け出して脱落するのを規制する係止位置と、係止部２７ａが型取付け台１３の被係止部１３ａから離間した非係止位置の間でスライド可能に支持され、少なくとも係止位置に移動した際にはネジ２９によりネジ止めして固定される。
【００２６】
次に、抜き型１に押し型１７を取付ける際の作用及び方法を説明する。
先ず、型取付け台１３の軸孔１３ｃに挿嵌された位置決めピン１５を、その突出側軸端が取付け平面部１３ｂより若干突出する位置に移動させる。この状態にて取付け平面部１３ｂに対して雌押し型１９を、各位置決め板１９ｂの孔１９ｃに突出した位置決めピン１５の軸端を挿嵌した状態で、両面テープや接着剤により固着させる。このとき、雌押し型１９は孔１９ｃに対する位置決めピン１５の挿嵌により型取付け台１３に対して位置決めされた状態で固定される。（図４参照）
【００２７】
次に、上記状態にて型取付け台１３の取付け平面部１３ｂに固着された雌押し型１９に対して雄押し型２１を、孔１９ｃ内に挿嵌された各位置決めピン１５の軸端が孔２１ｂ内に挿嵌して重ね合せる。このとき、雄押し型２１は各孔２１ｂに対するそれぞれの位置決めピン１５の挿嵌により雌押し型１９に対して位置決めされ、凹部１９ａに対して突部２１ａを一致させる。また、雄押し型２１の孔２１ｂ内に挿嵌された位置決めピン１５との摩擦力により抜け出しを規制して雌押し型１９に雄押し型２１を仮止めさせる。（図５参照）
【００２８】
尚、孔２１ｂ内における位置決めピン１５の摩擦力が弱く、位置決めピン１５から雄押し型２１が抜け出し易い場合には、雌押し型１９及び雄押し型２１の間に両面テープ又はホットメルトを点着して雌押し型１９に対して雄押し型２１を、粘着材２３による粘着力より弱い粘着力（接着力）で仮止めしてもよい。
【００２９】
また、型取付け台１３に雌押し型１９及び雄押し型２１を取付ける態様としては、取付け盤７の開口部７ａ内に型取付け台１３を挿嵌した後に、該型取付け台１３に押し型１７を取付ける態様、型取付け台１３に押し型１７を取付けた後に、該型取付け台１３を取付け盤７の開口部７ａ内に型取付け台１３を挿嵌して取付ける態様のいずれであってもよい。
【００３０】
次に、シート材の型抜き作業に先立って、雌押し型１９及び雄押し型２１が取付けられた抜き型１をスライダーの下面に固定すると共に雄押し型２１下面の粘着材２３から剥離紙２５を剥した後に、該スライダーを下降駆動して型抜き刃９の刃先を、固定側定盤３の上面に対して可及的に近接する最下点に移動させる。このとき、固定側定盤３の上面に対して雌押し型１９に仮止めされた雄押し型２１が押付けられて粘着材２３の粘着力により固着される。（図６参照）
【００３１】
次に、スライダーを上昇駆動すると、図７に示すように、固定定盤３上面に固着された雄押し型２１の孔２１ｂから位置決めピン１５を抜け出させて分離し、固定側定盤３の上面に雄押し型２１を残した状態で抜き型１を上昇させる。そして上方に移動した抜き型１の型取付け台１３に固着された雌押し型１９の位置決め板１９ｂを取付け平面部１３ｂの両端に位置する肉薄部１９ｄで切離すと共に各位置決めピン１５を、その軸下端が被係止部１３ａの下面にほぼ一致するように軸孔１３ｃ内に没入させる。（図８参照）
【００３２】
次に、非係止位置に移動していた各係止板２７を、係止部２７ａが被係止部１３ａの下面及び軸孔１３ｃ内に没入した各位置決めピン１５の軸下端面にそれぞれ係止する位置へ移動させた後、ネジ２９をネジ締めして固定させる。これによりスライダーを昇降駆動してシート材から製品を型抜きする際に作用する振動により取付け盤７から型取付け台１３が、また軸孔１３ｃから位置決めピン１５が抜け出すのを規制する。（図９参照）
【００３３】
本実施例は、型取付け台１３の軸孔１３ｃに挿嵌された各位置決めピン１５に対して雌押し型１９及び雄押し型２１の各孔１９ｃ・２１ｂを挿嵌させることにより雌押し型１９と雄押し型２１を位置決めした状態で取付けることができ、両型１９・２１を高い精度で位置決めして仮止めすることができる。
【００３４】
また、固定側定盤３の上面に雄押し型２１を固着させた後においては、各位置決めピン１５が不要になるが、該位置決めピン１５を軸孔１３ｃ内に没入させることにより型抜き作業時に位置決めピン１５がシート材に押し当たって傷付けたり、余分な押し跡が形成されるのを防止し、シート材から製品を高品質に型抜きすることができる。
【００３５】
同様に、雌押し型１９に仮止めされた雄押し型２１を固定側定盤３の定面に固着した後においては、雌押し型１９の両側に設けられた位置決め板１９ｂは、型抜き作業時においては、シート材の表面に傷を付ける恐れがあり、不要である。このため、型抜き作業を開始する前に、該位置決め板１９ｂを切り離して除去し、シート材が傷付くのを防止し、シート材から製品を高品質に型抜きすることができる。
【００３６】
更に、シート材の型抜き作業時においては、スライダーの昇降及びシート材に対する型抜き刃９の衝突時に発生する振動により取付け盤７から型取付け台１３が、また被係止部１３ａから位置決めピン１５が脱落して型抜き作業の障害になる恐れがあるが、係止部材２７により型取付け台１３及び位置決めピン１５の抜け出しを防止し、シート材の型抜き作業を安全に行うことができる。
【実施例２】
【００３７】
本実施例は、請求項１及び請求項８に対応し、型押しされる記号等の押し型１７を変更する際の交換作業を簡易、且つ短時間に行うことを可能にする抜き型５１に関する。
図１０及び図１１において、抜き型５１の取付け盤７に形成された開口部７ａには、型取付け台１３が着脱可能に挿嵌される。該型取付け台１３は両側に被係止部１３ａを有した取付け平面部１３ｂが形成されている。該被係止部１３ａは、その上面が取付け盤７の下面に一致するように形成されると共に取付け平面部１３ｂは取付け盤７に設けられた型抜き刃９の刃高にほぼ一致する高さになるように形成される。
【００３８】
そして取付け平面部１３ｂの下面には押し型１７の一方である雌押し型１９が、予め位置合わせした状態で固着されている。また、雌押し型１９には、雄押し型２１が、雌押し型１９の凹部１９ａと雄押し型２１の突部２１ａとが一致した状態で、例えばスポット状に設けられた両面テープ等の粘着材やホットメルト等の接着剤により仮止めされている。この型取付け台１３は、異なる種類の押し型１７毎に予め用意されている。
【００３９】
また、開口部７ａの各角部に応じた取付け盤７には係止部材２７がそれぞれ設けられている。各係止部材２７は、係止部２７ａが、被係止部１３ａに係止する係止位置と被係止部１３ａから離間した被係止位置との間で移動可能に支持され、係止位置へ移動された際には、ネジ２９により固定される。
尚、実施例１と同一の部材に付いては、同一の符号を付して詳細な説明を省略する。
【００４０】
本実施例は、製品の型押しされる記号に応じて予め雌押し型１９及びこれに雄押し型２１が仮止めされて用意された型取付け台１３を、取付け盤７の開口部７ａに挿嵌した後に、係止部材２７の係止部２７ａを被係止部１３ａに係止して取付け盤７から型取付け台１３が抜け出すのを規制する。（図１２参照）
【００４１】
このため、本実施例は、取付け盤７に対する押し型１７の交換作業を簡易、且つ短時間に行うことができ、作業性に優れている。また、取付け盤７に取付けられた型取付け台１３にあっては、型抜き作業時においては、係止部材２７により取付け盤７からの抜け出しが規制されるため、型抜き作業中に取付け盤７から外れる恐れがなく、型抜き作業を安全に行うことができる。
【００４２】
本発明は、以下のように変更実施することができる。
１．実施例１にあっては、固定側定盤３の上面に雄押し型２１を固着させた後に、型取付け台１３に固着された雌押し型１９の位置決め板１９ｂを切離す構成としたが、図１３に示すように位置決め板１９ｂの上面に、予め両面テープ等の粘着剤を設けておき、位置決め板１９ｂを切り離す代わりに折り曲げて取付け平面部１３ｂの段差側面に粘着する構成であってもよい。
また、位置決め板１９ｂを折り曲げて取付け平面部１３ｂを段差側面に粘着して固定する代わりに、位置決め板１９ｂを段差側面に沿うように折り曲げた後に、被係止部１３ａに係止する係止部材２７を押当てて折曲げ状態を保つように構成してもよい。
【００４３】
２．上記説明は、係止部材２７を、長孔２７ｂに沿って移動して被係止部１３ａに係止する構成としたが、図１４に示すように開口部７ａの側方に応じた取付け盤７に取付けられた２本のネジ８１により支持された係止板８３を、被係止部１３ａに向かって移動して係止して取付け盤７に型取付け台１３を抜止めする構成、図１５に示すように開口部７ａの側縁に応じた取付け盤７にネジ止めされたネジ８５に、一端部に係止部８７ａ、他端部に操作部８７ｂを有してＬ字形の係止アーム８７を回動可能及び移動可能に支持し、係止部８７ａを被係止部１３ａに係止して取付け盤７に型取付け台１３を抜止めして固定する構成であってもよい。
【００４４】
３．スライダーに抜き型１・５１を取付ける際には、該抜き型１・５１の型取付け台１３に雌押し型１９を固着すると共に該雌押し型１９に対して位置決めした状態で雄押し型２１を仮止めする構成としたが、本発明においては、型取付け台１３に固着された雌押し型１９に対して雄押し型２１を予め位置決めした状態で仮止めしておくことは、必須の構成ではなく、スライダーに抜き型１・５１を取付ける際に、型取付け台１３の雌押し型１９に対して雄押し型２１を位置決めした状態で仮止めする構成であってもよい。
【図面の簡単な説明】
【００４５】
【図１】実施例１に係る抜き型を、型抜き刃側を上方に向けた状態を示す全体斜視図である。
【図２】上部型取付け盤に対する押し型の取付け状態を示す分解斜視図である。
【図３】図１Ａ−Ａの中央縦断面図である。
【図４】型取付け台に雌押し型を固着した状態を示す説明図である。
【図５】雌押し型に雄押し型を仮止めした状態を示す説明図である。
【図６】固定側定盤に雄押し型を固着する状態を示す説明図である。
【図７】雌押し型から雄押し型を分離させる状態を示す説明図である。
【図８】位置決めピンを没入させる状態を示す説明図である。
【図９】型取付け台の係止状態を示す説明図である。
【図１０】実施例２に係る抜き型を、型抜き刃側を上方に向けた状態を示す説明図である。
【図１１】抜き型の分解斜視図である。
【図１２】型取付け台の交換状態を示す説明図である。
【図１３】変更実施例を示す説明図である。
【図１４】変更実施例を示す説明図である。
【図１５】変更実施例を示す説明図である。
【符号の説明】
【００４６】
１  抜き型
３  固定側定盤
７  取付け盤
９  型抜き刃
１３  型取付け台
１３ａ  被係止部
１５  位置決め軸としての位置決めピン
１７  押し型
１９  一方の押し型としての雌押し型
１９ａ  凹部
１９ｂ  位置決め部としての位置決め板
１９ｃ  孔
２１  他方の押し型としての雄押し型
２１ａ  突部
２１ｂ  孔
２３  粘着材
２７  係止部材
【図１】
2008044027.tif 000003
【図２】
2008044027.tif 000004
【図３】
2008044027.tif 000005
【図４】
2008044027.tif 000006
【図５】
2008044027.tif 000007
【図６】
2008044027.tif 000008
【図７】
2008044027.tif 000009
【図８】
2008044027.tif 000010
【図９】
2008044027.tif 000011
【図１０】
2008044027.tif 000012
【図１１】
2008044027.tif 000013
【図１２】
2008044027.tif 000014
【図１３】
2008044027.tif 000015
【図１４】
2008044027.tif 000016
【図１５】
2008044027.tif 000017